(57)【要約】【課題】小型軽量化され、重要な保存データを持ち運ぶ必要のない端末装置及び通信方法を提供する。【解決手段】端末装置１００は、図１に示すように、入力装置１０６と出力装置１０７を備える。入力装置１０６は、机、ノート等の平面（第１の投射面）に光を投射することにより入力手段の像を映し出す第１の投射手段を構成する。入力手段は、キーを配列した鍵盤（疑似キーボード１０６ａ）やユーザが触れた接触面の前後左右の移動量を認識するパッド（疑似マウスパッド１０６ｂ）などから構成される。【選択図】図１
2005135307.tif 000002
【特許請求の範囲】
【請求項１】
情報処理装置を操作するための操作情報を送信する端末装置であって、
光を投射することにより、入力手段の像を第１の投射面に映し出す第１の投射手段と、
該第１の投射手段によって投射された光が前記第１の投影面に到達した到達状態に基づいて、前記操作情報を生成する操作情報生成手段とを備えることを特徴とする端末装置。
【請求項２】
前記入力手段はキーボードであり、
前記操作情報生成手段は、前記キーボードのキー毎への前記到達状態に基づいて前記操作情報を生成することを特徴とする請求項１に記載の端末装置。
【請求項３】
前記入力手段はマウスパッドであり、
前記操作情報生成手段は、前記マウスパッドへの前記到達状態に基づいて前記操作情報を生成することを特徴とする請求項１に記載の端末装置。
【請求項４】
光を投射することにより、前記情報処理装置から取得した出力情報を第２の投射面に映し出す第２の投影手段とを更に備えることを特徴とする請求項１〜３のいずれか１項に記載の端末装置。
【請求項５】
端末装置が、光を投射することにより、入力手段の像を第１の投射面に映し出すステップＡと、
前記端末装置が、前記ステップＡによって投射された光が前記第１の投影面に到達した到達状態に基づいて、前記操作情報を生成するステップＢと、
前記情報処理装置が、前記端末装置から受信した前記操作情報に基づいて処理を行うステップＣと、
前記端末装置が、前記情報処理装置から前記情報処理装置における処理結果である出力情報を取得するステップＤと、
前記端末装置が、光を投射することにより、前記出力情報を第２の投射面に映し出すステップＥと
を含むことを特徴とする通信方法。
【発明の詳細な説明】
【技術分野】
【０００１】
本発明は、操作情報に基づいて処理結果情報を出力する端末装置及び通信方法に関する。
【背景技術】
【０００２】
近年、社会的に情報の重要性が要求されるようになり、携帯電話、パソコン、ＰＤＡ等の端末装置を用いた情報処理がなくてはならない状況となっている。こうした中、ノート型パソコン等の技術向上に加え、様々な移動通信サービスの低価格化とインフラ整備が進むにつれて、時間、場所を選ばず、適宜インターネットや企業等内のローカルネットワークにアクセスすることを可能とするモバイルデータ通信サービスが普及し始めている。
【０００３】
即ち、従来、図９に示すように、ノート型パソコン等の端末装置１１００において、情報の加工処理を行い（Ｓ５０１）、必要があれば移動通信網１３００やインターネット／イントラネット１４００を介して情報サーバ１９００から情報をダウンロードし（Ｓ５０２）、加工処理を行い（Ｓ５０３）、再び情報をアップロードする（Ｓ５０４）ことが行われている。
【０００４】
又、このようなモバイルデータ通信サービスにおいて、端末装置の処理負荷を軽減するため、端末装置から入力された情報に基づいて、通信ネットワークに接続された情報サーバが処理を行う技術は開示されている（例えば、特許文献１）。
【特許文献１】特願２００２−１３５２９２号（「００２７」〜「００３１」段落、図３）
【発明の開示】
【発明が解決しようとする課題】
【０００５】
しかしながら、上記のように情報サーバが処理を行う場合であっても、モバイルデータ通信サービスを利用する場合は、ユーザは嵩張るノート型パソコン等の端末装置を外出先等に持ち歩かなければならない。又、端末装置にはデータが保存されており、持ち歩き時の端末装置本体の破損や置忘れによる保存データの流出や損失の危険にさらされることとなる。
【０００６】
そこで、本発明は、上記の課題に鑑み、小型軽量化され、重要な保存データを持ち運ぶ必要のない端末装置及び通信方法を提供することを目的とする。
【課題を解決するための手段】
【０００７】
上記目的を達成するため、本発明の第１の特徴は、操作情報に基づいて処理を行う情報処理装置へ、操作情報を送信する端末装置であって、（イ）光を投射することにより、入力手段の像を第１の投射面に映し出す第１の投射手段と、（ロ）第１の投射手段によって投射された光が第１の投影面に到達した到達状態に基づいて、操作情報を生成する操作情報生成手段とを備える端末装置であることを要旨とする。
【０００８】
第１の特徴に係る端末装置によると、小型軽量化が実現でき、重要な保存データを持ち運ぶ必要がない。このため、ユーザが容易に持ち歩くことが可能になる上、持ち歩き時の端末装置本体の破損や置忘れによる保存データの流出や損失の危険にさらされることがなくなる。
【０００９】
又、第１の特徴に係る端末装置の入力手段はキーボードであり、操作情報生成手段は、キーボードのキー毎への到達状態に基づいて操作情報を生成してもよい。この端末装置によると、入力手段の操作が容易となる。
【００１０】
又、第１の特徴に係る端末装置の入力手段はマウスパッドであり、操作情報生成手段は、マウスパッドへの到達状態に基づいて操作情報を生成してもよい。この端末装置によると、入力手段の操作が容易となる。
【００１１】
又、第１の特徴に係る端末装置は、情報処理装置から情報処理装置における処理結果である出力情報を取得する出力情報取得手段と、光を投射することにより、出力情報を第２の投射面に映し出す第２の投影手段とを更に備えてもよい。この端末装置によると、出力結果を認識することができる。
【００１２】
本発明の第２の特徴は、（イ）端末装置が、光を投射することにより、入力手段の像を第１の投射面に映し出すステップＡと、（ロ）端末装置が、ステップＡによって投射された光が第１の投影面に到達した到達状態に基づいて、操作情報を生成するステップＢと、（ハ）情報処理装置が、端末装置から受信した操作情報に基づいて処理を行うステップＣと、（ニ）端末装置が、情報処理装置から情報処理装置における処理結果である出力情報を取得するステップＤと、（ホ）端末装置が、光を投射することにより、出力情報を第２の投射面に映し出すステップＥとを含む通信方法であることを要旨とする。
【００１３】
第２の特徴に係る通信方法によると、端末装置の小型軽量化が実現でき、ユーザが重要な保存データを持ち運ぶ必要がない。このため、ユーザが端末装置を容易に持ち歩くことが可能になる上、持ち歩き時の端末装置本体の破損や置忘れによる保存データの流出や損失の危険にさらされることがなくなる。
【発明の効果】
【００１４】
本発明によると、小型軽量化され、重要な保存データを持ち運ぶ必要のない端末装置及び通信方法を提供することができる。
【発明を実施するための最良の形態】
【００１５】
次に、図面を参照して、本発明の実施の形態を説明する。以下の図面の記載において、同一又は類似の部分には、同一又は類似の符号を付している。ただし、図面は模式的なものであることに留意すべきである。
【００１６】
本発明の実施の形態に係る端末装置は、携帯電話、ＰＨＳ、無線ＬＡＮ等の移動体通信網に接続し、データ送受信可能な通信機能を有し、操作情報を入力可能な入力装置と処理結果情報を出力可能な出力装置とを備える。又、本発明の実施の形態に係る情報処理装置は、端末装置から受信した操作情報に基づき処理を行い、処理結果を出力情報として端末装置に送信する。情報処理装置としては、例えば、パソコン、サーバ（ＯＳ、アプリケーション機能、記録媒体等を搭載する装置）などが用いられる。
【００１７】
本発明の実施の形態に係る端末装置の直接的な通信先は、インターネット、イントラネット等に存在する情報サーバではなく、ユーザが日常使用しているパソコンやサーバ、もしくは移動通信網上にあるアプリケーション代替サーバなどの情報処理装置である。又、本発明の実施の形態に係る端末装置が移動体通信網を利用して送受するデータは、アプリケーションデータやファイル自体ではなく、パソコンやサーバ等の装置を操作するための操作情報、あるいは、パソコンやサーバから端末装置に送出される出力情報である。
【００１８】
（第１の実施の形態）
本発明の第１の実施の形態に係る端末装置１００は、図１に示すように、入力装置１０６と出力装置１０７を備える。
【００１９】
入力装置１０６は、机、ノート等の平面（第１の投射面）に光を投射することにより入力手段の像を映し出す第１の投射手段を構成する。入力手段は、キーを配列した鍵盤（疑似キーボード１０６ａ）やユーザが触れた接触面の前後左右の移動量を認識するパッド（疑似マウスパッド１０６ｂ）などから構成される。端末装置１００は、ユーザが映し出された入力手段の像に接触した位置情報に基づき、操作情報を生成する。具体的には、ユーザが入力手段の像に接触することにより、その位置の光の反射率が変化することにより、端末装置１００は当該位置を認識する。そして、端末装置１００は、この位置情報に基づき、操作情報を生成する。入力手段がキーボードである場合は、像として形成されたキーにユーザが触れることにより、そのキーに該当する操作情報を生成する。又、入力手段がマウスパッドである場合は、像として形成されたパッドにユーザが触れることにより、前後左右の移動量に該当する操作情報を生成する。
【００２０】
出力装置１０７は、壁、ボード、ノート等の平面（第２の投射面）に光を投射することにより、後述するパソコン２００などから受信した処理結果となる画面情報（疑似画面１０７ａ）を映し出す第２の投射手段を構成する。この出力装置１０７は、端末装置１００本体に対して３６０度回転可能な小型プロジェクタとして形成することも可能である。尚、出力装置１０７は、画面データではなく、音声データを出力する構成としてもよい。
【００２１】
次に、本発明の第１の実施の形態に係る通信システムは、図２に示すように、移動体通信網３００及びインターネット／イントラネット４００を介して接続される端末装置１００とパソコン２００とを備える。
【００２２】
端末装置１００は、上述した入力装置１０６、出力装置１０７の他、メイン制御部１０１、出力情報取得部１０２、操作情報生成部１０３、ネットワーク制御部１０４，移動通信機能制御部１０５とを備える。
【００２３】
メイン制御部１０１は、各部の動作及び各部間のデータ送受を制御する。
【００２４】
操作情報生成部１０３は、入力装置１０６が投射した入力手段（疑似キーボード、疑似マウスパッド）の像において、ユーザが接触した位置に基づいて操作情報を生成する。このように生成された操作情報は、ネットワーク制御部１０４、移動通信機能制御部１０５、メイン制御部１０１により、移動体通信網３００及びインターネット／イントラネット４００を介して、パソコン２００に送信される。
【００２５】
出力情報取得部１０２は、パソコン２００において処理された結果の情報である画面データ、音声データ等の出力情報を取得し、出力装置１０７が投射する情報へ変換する。
【００２６】
移動通信機能制御部１０５は、移動体通信網３００に接続し、通信可能とする機能を有する。
【００２７】
ネットワーク制御部１０４は、前述の移動通信網３００を介して行うデータの送受信を制御する。
【００２８】
一方、パソコン２００は、既存の市販パソコンやサーバ等が有する各機能（２０１−２０８）をベースとしており、これら機能のうち、各部の動作及び各部間のデータ送受を制御するメイン制御部２０１と、ディスプレイ等の表示装置２０７に表示する出力情報等を制御する出力情報制御部２０２と、ユーザから入力装置２０８によって入力される操作情報を解析、制御する入力情報制御部２０３には、以下の機能が追加されているものとする。
【００２９】
出力情報制御部２０２は、メイン制御部２０１からの特定の指示処理を受けると、通常は表示装置２０７に送信する出力情報をメイン制御部２０１、ネットワーク制御部２０６を利用して、パソコン２００と接続される端末装置１００に送信する機能を有する。
【００３０】
又、入力情報制御部２０３は、入力装置２０８からの入力情報を処理する機能に加え、端末装置１００から送信される操作情報についても制御可能とし、メイン制御部２０１を含む内部処理に端末装置からの操作情報を反映させる機能を有する。
【００３１】
尚、情報蓄積部２０４は、ユーザがアプリケーション制御部２０５を利用して得たデータ等を蓄積する。アプリケーション制御部２０５は、各種アプリケーション機能を提供する。ネットワーク制御部２０６は、外部ネットワークとの間で送受信されるデータを制御する。
【００３２】
次に、第１の実施の形態に係る通信方法について、図３及び図４を用いて説明する。
【００３３】
（イ）まず、ステップＳ１０１において、端末装置１００は、入力手段（疑似キーボードや疑似マウス）の像を投射面に映し出す。
【００３４】
（ロ）次に、ステップＳ１０２において、端末装置１００は、ユーザが映し出された入力手段の像に接触した位置情報に基づき、操作情報を生成する。生成された操作情報は、移動通信網３００などを介して、パソコン２００へ送信される（図４のステップＳ２０１）。
【００３５】
（ハ）次に、ステップＳ１０３において、パソコン２００は、この操作情報に基づいて、情報の加工処理を行う。又、必要があれば、パソコン２００は、インターネット／イントラネット４００を介して、情報サーバ９００への情報のダウンロード（図４のステップＳ２０２）、アップロード（図４のステップＳ２０３）等を行う。
【００３６】
（ニ）次に、ステップＳ１０４において、端末装置１００は、パソコン２００から処理結果である画面情報（出力情報）を取得する（図４のステップＳ２０４）。
【００３７】
（ホ）次に、ステップＳ１０５において、端末装置１００は、光を投射することにより、出力情報を投射面に映し出す。
【００３８】
上記のステップＳ１０２〜Ｓ１０５の処理は、移動体通信網３００等との接続が切断されるまで繰り返される。図４では、再び、端末装置１００が操作情報を送信し（図４のステップＳ２０５）、パソコン２００が操作情報に基づき加工処理を行い（図４のステップＳ２０６）、端末装置１００が処理結果である画面情報（出力情報）を受信する（図４のステップＳ２０７）。
【００３９】
次に、端末装置１００とパソコン２００が接続を行う際のシーケンスについて、図５を用いて説明する。
【００４０】
（イ）まず、ステップＳ３０１において、端末装置１００は、移動通信網３００との接続ネゴシエーションを行い、ステップＳ３０２において、ＩＰアドレス取得ネゴシエーションを完了する。
【００４１】
（ロ）次に、ステップＳ３０３及びＳ３０４において、端末装置１００は、移動通信網３００及びインターネット（またはイントラネット）４００を介して、ネットワーク上のパソコン２００に対し、サービス開始要求を送信する。そして、ステップＳ３０５及びＳ３０６において、サービス開始要求を受信したパソコン２００は、端末装置１００から送信される操作情報を受入れる状態と画面情報、音声情報等の出力情報を端末装置に対してリアルタイムに送信する状態を整え、サービス開始応答を端末装置に返信する。
【００４２】
（ハ）次に、ステップＳ３０７及びＳ３０８において、端末装置１００は、パソコン２００から送信された画面情報（出力情報）を受信し、出力装置１０７を用いて、出力情報を映し出す。そして、ユーザが入力装置１０６によって映し出された入力画面を操作すると、ステップＳ３０９及びＳ３１０において、端末装置１００は、操作情報をパソコン２００へ送信する。
【００４３】
（ニ）次に、ステップＳ３０９及びＳ３１０において、パソコン２００は、受信した操作情報に基づき、処理を行い、その処理結果を再び、端末装置１００へ送信する。そして、ステップＳ３１３及びＳ３１４において、ユーザが端末装置１００の入力装置１０６によって映し出された入力手段を操作すると、端末装置１００は、操作情報をパソコン２００へ送信する。このように、ステップＳ３１５において、端末装置１００からのサービス終了要求が送信されない限り、ステップＳ３０７〜Ｓ３１４の処理を繰り返す。
【００４４】
（ホ）次に、ステップＳ３１５及びＳ３１６において、端末装置１００がサービス終了要求を送信する。サービス終了要求を受信したパソコン２００は、ステップＳ３１７及びＳ３１８において、端末装置１００から送信される操作情報を受入れない状態に遷移し、かつリアルタイムに送信していた出力情報の送信を停止し、サービス終了応答を端末装置１００に対し送信する。
【００４５】
（へ）次に、ステップＳ３１９において、端末装置１００は、取得したＩＰアドレスを解放し、ステップＳ３２０において、移動通信網との間で接続した回線を切断する。
【００４６】
第１の実施の形態に係る端末装置１００及び通信方法によると、実際のアプリケーションデータの送受信、加工処理、蓄積処理を行う装置はネットワーク上のパソコン２００やサーバ等であるため、端末装置１００は、操作情報生成機能、画面データ等を取得する出力情報取得機能及び移動体通信機能さえ有していればよい。これにより、端末装置は、従来のノート型パソコン等と比べると飛躍的に小型軽量化が可能となり、結果ユーザは嵩張る装置を持ち運びすることなく、端末装置さえ所持していればモバイルデータ通信が可能となる。
【００４７】
又、第１の実施の形態に係る端末装置１００及び通信方法によると、端末装置１００にてアプリケーションデータを加工編集、蓄積する必要がないため、アプリケーションデータを処理するスペックもモバイル環境に依存しない。つまりユーザはいつでもどこでも自宅や会社のパソコン環境（処理スペック、アプリケーション、蓄積情報の閲覧、加工等）を利用することが可能であり、例えば、モバイル環境と自宅や会社等のパソコン環境における煩わしいデータの二重管理等も必要なくなる。又、第１の実施の形態においてはユーザ側でノートパソコン等のようなアプリケーションデータ自体の送受信や加工処理等を可能とする装置が不要なことから、ユーザはモバイルデータ通信におけるモバイル環境への設備投資を格段に引下げることが可能となる。
【００４８】
又、第１の実施の形態に係る端末装置１００ａ、１００ｂ、１００ｃを店舗などで貸し出し、図６に示すように、店舗内に設けられている無線アクセスポイント（無線基地局２０）へアクセスすることも可能である。この場合、端末装置１００ａ、１００ｂ、１００ｃは、無線基地局２０を経由して、通信ネットワーク１０上のパソコン２００や後述するアプリケーション代替サーバ５００と操作情報及び出力情報を送受信する。この端末装置１００ａ、１００ｂ、１００ｃによると、ユーザは端末装置１００ａ、１００ｂ、１００ｃ自体をも持ち歩く必要がなくなる。
【００４９】
（第２の実施の形態）
本発明の第２の実施の形態では、情報処理装置として、アプリケーション機能を代替可能とするサーバ装置（以下において、「アプリケーション代替サーバ」という。）を用いる。即ち、アプリケーション代替サーバとは、移動体通信ネットワーク上のサーバ装置等において、例えばＷｅｂブラウザ機能のような従来のパソコン、サーバ等が有していたアプリケーション機能を代替するサーバである。このアプリケーション代替サーバと前述の端末装置との間でモバイルデータ通信を可能とする。
【００５０】
本発明の第２の実施の形態に係る通信システムは、図７に示すように、移動体通信網６００を介して接続される端末装置１００とアプリケーション代替サーバ５００とを備える。
【００５１】
第２の実施の形態に係る端末装置は、第１の実施の形態に係る端末装置と同様であるので、ここでは説明を省略する。
【００５２】
アプリケーション代替サーバ５００は、メイン制御部５０１と、ネットワーク制御部５０５と、保守者等に対しヒューマンインタフェース機能を提供する表示装置５０７、表示制御部５０６、入力装置５０９、入力情報制御部５１０と、アプリケーション制御部（Ｗｅｂブラウザ部）５０３と、アプリケーション制御部（メールサーバ部）５０４と、ユーザデータベース５０２と、情報蓄積部５０１とを備える。
【００５３】
メイン制御部５０１は、各部の動作および各部間のデータ送受を制御する。
【００５４】
ネットワーク制御部５０５は、外部ネットワークとの間で送受信されるデータを制御する。
【００５５】
アプリケーション制御部（Ｗｅｂブラウザ部）５０３は、アプリケーション代替サーバ５００と通信を行う端末装置１００に対して、インターネット閲覧が可能Ｗｅｂブラウザ機能を提供する。アプリケーション制御部（メールサーバ部）５０４は、メール送受信が可能なメーラー機能を提供する。
【００５６】
ユーザデータベース５０２は、アプリケーション代替サーバに接続する端末装置の情報を管理する。
【００５７】
情報蓄積部５０１は、ユーザがアプリケーション制御部５０３、５０４を利用して得たダウンロードデータ等をユーザ単位に蓄積する。
【００５８】
次に、第２の実施の形態に係る通信方法について、図３及び図８を用いて説明する。
【００５９】
（イ）まず、図３のステップＳ１０１において、端末装置１００は、入力手段（疑似キーボードや疑似マウス）の像を投射面に映し出す。
【００６０】
（ロ）次に、ステップＳ１０２において、端末装置１００は、ユーザが映し出された入力手段の像に接触した位置情報に基づき、操作情報を生成する。生成された操作情報は、移動通信網６００などを介して、アプリケーション代替サーバ５００へ送信される（図８のステップＳ４０１）。
【００６１】
（ハ）次に、ステップＳ１０３において、アプリケーション代替サーバ５００は、この操作情報に基づいて、情報の加工処理を行う。又、必要があれば、アプリケーション代替サーバ５００は、インターネット／イントラネット７００を介して、情報サーバ１０００への情報のダウンロード（図８のステップＳ４０２）、アップロード（図８のステップＳ４０３）等を行う。
【００６２】
（ニ）次に、ステップＳ１０４において、端末装置１００は、アプリケーション代替サーバ５００から処理結果である画面情報（出力情報）を取得する（図８のステップＳ４０４）。
【００６３】
（ホ）次に、ステップＳ１０５において、端末装置１００は、光を投射することにより、出力情報を投射面に映し出す。
【００６４】
上記のステップＳ１０２〜Ｓ１０５の処理は、移動体通信網６００等との接続が切断されるまで繰り返される。図８では、再び、端末装置１００が操作情報を送信し（図８のステップＳ４０５）、アプリケーション代替サーバ５００が操作情報に基づき加工処理を行い（図８のステップＳ４０６）、端末装置１００が処理結果である画面情報（出力情報）を受信する（図８のステップＳ４０７）。
【００６５】
第２の実施の形態に係る端末装置及び通信方法によると、ネットワーク上にアプリケーション代替サーバ５００を設置し、端末装置１００がアプリケーション代替サーバ５００に接続することにより、ユーザはネットワーク上に個人のパソコンやサーバ等を設置していなくとも端末装置１００さえ所持していれば、アプリケーション代替サーバ５００が代替するアプリケーションを利用することが可能となる。例えば、ＷＥＢアクセス可能なブラウザ機能をアプリケーション代替サーバ５００が代替している場合、ユーザは端末装置１００以外に何の設備投資をしなくともモバイルインターネット接続を行うことが可能となる。
【００６６】
又、仮にアプリケーションソフトにバージョンアップが必要な場合もアプリケーション代替サーバ５００側で該当アプリケーションソフトのバージョンアップを図りさえすれば、ユーザは意識しなくとも常時最新のアプリケーションを利用した情報処理が可能となる。
【００６７】
更に、アプリケーション代替装置がユーザ毎のデータ蓄積領域を提供することによりメール等の保存が必要なアプリケーションの対応も可能となる。
【００６８】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００６９】
例えば、実施の形態において、端末装置１００は情報処理装置の画面情報を取得すると説明したが、画面情報ではなく、音声情報を取得しても構わない。
【００７０】
又、第１の実施の形態において、図６に示すように、端末装置１００を店舗などで貸し出し、店舗内に設けられている無線アクセスポイント（無線基地局２０）へアクセスすることが可能であることを説明したが、第２の実施の形態においても可能であることは勿論である。
【００７１】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００７２】
【図１】第１及び第２の実施の形態に係る端末装置の概観図である。
【図２】第１の実施の形態に係る通信システムの構成を示すブロック図である。
【図３】第１及び第２の実施の形態に係る通信方法を示すフローチャートである。
【図４】第１の実施の形態に係る端末装置とパソコンの情報のやりとりを説明するための図である。
【図５】第１の実施の形態に係る端末装置とパソコンの接続シーケンスを示すブロック図である。
【図６】第１及び第２の実施の形態に係る通信システムの構成を示す図である。
【図７】第２の実施の形態に係る通信システムの構成を示すブロック図である。
【図８】第２の実施の形態に係る端末装置とパソコンの情報のやりとりを説明するための図である。
【図９】従来の端末装置と情報サーバの情報のやりとりを説明するための図である。
【符号の説明】
【００７３】
１００  端末装置
１０１  メイン制御部
１０２  出力情報取得部
１０３  操作情報生成部
１０４  ネットワーク制御部
１０５  移動通信機能制御部
１０６  入力装置
１０６ａ  疑似キーボード
１０６ｂ  疑似マウスパッド
１０７  出力装置
１０７ａ  疑似画面
２００  パソコン
２０１  メイン制御部
２０２  出力情報制御部
２０３  入力情報制御部
２０４  情報蓄積部
２０５  アプリケーション制御部
２０６  ネットワーク制御部
３００、６００、１３００  移動通信網
４００、７００、１４００  インターネット／イントラネット
５００  アプリケーション代替サーバ
５０１  情報蓄積部
５０２  ユーザデータベース
５０３  アプリケーション制御部（Ｗｅｂブラウザ部）
５０４  アプリケーション制御部（メールサーバ部）
５０５  ネットワーク制御部
５０６  表示情報制御部
５０７  表示装置
５０８  入力情報制御部
５０９  入力装置
５１０  メイン制御部
１９００  情報サーバ
【図１】
2005135307.tif 000003
【図２】
2005135307.tif 000004
【図３】
2005135307.tif 000005
【図４】
2005135307.tif 000006
【図５】
2005135307.tif 000007
【図６】
2005135307.tif 000008
【図７】
2005135307.tif 000009
【図８】
2005135307.tif 000010
【図９】
2005135307.tif 000011